(57)【要約】【課題】通信端末が文書を印刷可能な形式に変換することなく、印刷装置に文書を印刷できる印刷サーバ装置を提供すること。【解決手段】文書管理サーバ装置２０、印刷装置４０、印刷装置４０によって印刷可能な形式である印刷可能形式のデータに文書を変換する文書変換サーバ装置３０、及び印刷要求信号を送信する通信端末１０を含むネットワーク７０上の装置と通信する通信手段１１０と、印刷要求信号に含まれる文書に関する情報に基づいて、文書管理サーバ装置２０から文書を取得する文書取得手段１３１と、取得した印刷対象の文書である印刷文書が印刷可能形式ではないときに、文書変換サーバ装置３０を介して印刷文書を印刷可能形式に変換させる文書変換手段１３２と、印刷可能形式で取得した印刷文書又は印刷可能形式に変換された印刷文書の印刷を印刷装置に要求又は予約する印刷文書出力手段１３３を備えるよう構成する。【選択図】　図２
2004030153.tif 000002
【特許請求の範囲】
【請求項１】
文書を保存し管理する文書管理サーバ装置、前記文書を印刷する印刷装置、前記印刷装置によって印刷可能な形式である印刷可能形式のデータに前記文書を変換する文書変換サーバ装置、及び前記文書の印刷を要求する信号である印刷要求信号を送信する通信端末を含むネットワーク上の装置と通信する通信手段と、前記印刷要求信号に含まれる前記文書に関する情報に基づいて、前記文書管理サーバ装置から前記文書を取得する手段と、取得した印刷対象の前記文書である印刷文書が前記印刷可能形式ではないときに、前記文書変換サーバ装置を介して前記印刷文書を前記印刷可能形式に変換させる手段と、前記印刷可能形式で取得した前記印刷文書又は前記印刷可能形式に変換された前記印刷文書の印刷を前記印刷装置に要求又は予約する手段とを備えたことを特徴とする印刷サーバ装置。
【請求項２】
前記印刷サーバ装置は、さらに、予約された前記印刷文書である予約印刷文書を登録し、登録した前記予約印刷文書を予約登録情報として管理する手段と、前記通信端末が送信した前記文書の印刷を開始する信号の受信に応じて、登録した前記予約印刷文書の印刷を前記印刷装置に要求する手段とを備えたことを特徴とする請求項１記載の印刷サーバ装置。
【請求項３】
前記印刷サーバ装置は、さらに、前記通信端末が送信した前記文書の印刷を中止する信号の受信に応じて、前記予約登録情報から前記予約印刷文書を削除し、前記予約印刷文書の印刷を中止することを前記印刷装置に要求する手段を備えたことを特徴とする請求項２記載の印刷サーバ装置。
【請求項４】
前記印刷サーバ装置は、さらに、前記通信端末が送信した前記文書の印刷を他の文書の印刷に変更する信号の受信に応じて、前記予約登録情報を変更し前記予約印刷文書の印刷を、他の予約印刷文書の印刷に変更することを前記印刷装置に要求する手段を備えたことを特徴とする請求項２又は請求項３記載の印刷サーバ装置。
【請求項５】
前記印刷サーバ装置は、さらに、前記通信端末が送信した前記文書の印刷を表示する信号の受信に応じて、前記予約登録情報を前記通信端末に表示させる手段を備えたことを特徴とする請求項２乃至請求項４の何れかに記載の印刷サーバ装置。
【請求項６】
文書を保存し管理する文書管理サーバ装置、前記文書を印刷する印刷装置、前記印刷装置によって印刷可能な形式である印刷可能形式のデータに前記文書を変換する文書変換サーバ装置、及び前記文書の印刷を要求する信号である印刷要求信号を送信する通信端末を含むネットワーク上の装置を備え、前記通信端末にはって送信された前記印刷要求信号を受信した請求項５記載の印刷サーバ装置は、前記印刷要求信号に含まれる文書に関する情報に基づいて前記文書を前記文書管理サーバ装置から取得し、取得した印刷対象の前記文書である印刷文書が前記印刷可能形式ではないときに、前記文書変換サーバ装置を介して前記印刷文書を前記印刷可能形式に変換させ、前記印刷可能形式で取得した前記印刷文書又は前記印刷可能形式に変換された前記印刷文書の印刷を前記印刷装置に要求又は予約し、予約された前記印刷文書である予約印刷文書を登録し、登録した前記予約印刷文書を予約登録情報として管理し、前記通信端末が送信した前記文書の印刷を開始する信号の受信に応じて、登録した前記予約印刷文書の印刷を前記印刷装置に要求することを特徴とするネットワーク印刷システム。
【発明の詳細な説明】
【０００１】
【発明の属する技術分野】
本発明は、携帯通信端末等からの要求に応じて、ネットワーク上の様々な場所に設置されている印刷装置に文書を印刷させる印刷サーバ装置およびネットワーク印刷システムに関する。
【０００２】
【従来の技術】
近年、ＰＤＡ（Ｐｅｒｓｏｎａｌ　Ｄｉｇｉｔａｌ　Ａｓｓｉｓｔａｎｔ）等の携帯通信端末からインターネット接続が可能となり、携帯通信端末を用いて文書を印刷することが求められるようになってきた。
従来、ネットワーク上の印刷装置に文書を印刷させる印刷サーバ装置又はネットワーク印刷システムとしては、例えば特開２００１−２１６２３７号公報に記載されたものが知られている。この従来のネットワーク印刷システムは、携帯通信端末からのデータ出力要求を受け、そのデータ出力要求に係る出力データをネットワーク上の印刷装置に印刷させるシステムであり、携帯通信端末は、製造業者固有の印刷装置を駆動するソフトウエアであるドライバを組み込むことなく、ネットワークを介し通信可能に接続された印刷装置を利用できるものであった。
【０００３】
【発明が解決しようとする課題】
しかしながら、このような従来の印刷サーバ装置またはネットワーク印刷システムでは、出力データの形式に基づいて印刷可能な出力装置を検索し、検索した出力装置に種々のアプリケーションソフトウエアで作成された文書を送信する方式があり、この方式では、利用者が取り出したい場所を指定して印刷を行うような場合には、該当個所に印刷可能な出力装置が見つからないことが発生していた。また、一般的に印刷可能な形式、たとえばポストスクリプトなどの形式に変換してから出力装置に送信することもあるが、この場合は不必要な変換処理や、データ転送のデータ量が大きくなり、通信時間が余分にかかるなどの不都合があった。
本発明は、かかる問題を解決するためになされたものであり、その目的は、通信端末が種々のアプリケーションソフトウエアで作成された文書を印刷可能な形式に変換することなく、指定された印刷装置に文書を印刷させることができ、変換処理の負荷を軽減させることができる印刷サーバ装置又はネットワーク印刷システムを提供するものである。
【０００４】
【課題を解決するための手段】
以上の点を考慮して、請求項１に係る発明は、文書を保存し管理する文書管理サーバ装置、前記文書を印刷する印刷装置、前記印刷装置によって印刷可能な形式である印刷可能形式のデータに前記文書を変換する文書変換サーバ装置、及び前記文書の印刷を要求する信号である印刷要求信号を送信する通信端末を含むネットワーク上の装置と通信する通信手段と、前記印刷要求信号に含まれる前記文書に関する情報に基づいて、前記文書管理サーバ装置から前記文書を取得する手段と、取得した印刷対象の前記文書である印刷文書が前記印刷可能形式ではないときに、前記文書変換サーバ装置を介して前記印刷文書を前記印刷可能形式に変換させる手段と、前記印刷可能形式で取得した前記印刷文書又は前記印刷可能形式に変換された前記印刷文書の印刷を前記印刷装置に要求又は予約する手段とを備えた構成を有している。
【０００５】
この構成により、文書管理サーバ装置から取得した文書が印刷可能形式ではないときに、文書変換サーバ装置を介して文書を印刷可能な形式に変換させるために、通信端末に印刷可能な形式に変換させることなく印刷装置に文書を印刷させることができ、変換処理の負荷を軽減させることができる。また、通信端末が印刷装置を指定するため、ネットワークに接続されている印刷装置であれば、どの印刷装置でも文書管理サーバ装置に格納されている文書を印刷できる。
【０００６】
また、請求項２に係る発明は、文書を保存し管理する文書管理サーバ装置、前記文書を印刷する印刷装置、前記印刷装置によって印刷可能な形式である印刷可能形式のデータに前記文書を変換する文書変換サーバ装置、及び前記文書の印刷を要求する信号である印刷要求信号を送信する通信端末を含むネットワーク上の装置と通信する通信手段と、前記印刷要求信号に含まれる前記文書に関する情報に基づいて、前記文書管理サーバ装置から前記文書を取得する手段と、取得した印刷対象の前記文書である印刷文書が前記印刷可能形式ではないときに、前記文書変換サーバ装置を介して前記印刷文書を前記印刷可能形式に変換させる手段と、前記印刷可能形式で取得した前記印刷文書又は前記印刷可能形式に変換された前記印刷文書の印刷を前記印刷装置に要求又は予約する手段とを備え、さらに、予約された前記印刷文書である予約印刷文書を登録し、登録した前記予約印刷文書を予約登録情報として管理する手段と、前記通信端末が送信した前記文書の印刷を開始する信号の受信に応じて、登録した前記予約印刷文書の印刷を前記印刷装置に要求する手段とを備えた構成を有している。
【０００７】
この構成により、携帯通信端末の利用者が印刷開始の要求に応じて文書を印刷開始するために、利用者が印刷物を出力するタイミングを制御することができ、利用者が印刷装置の前で印刷物を出力するタイミングを制御することによって、確実に自分の印刷物を受け取ることができる。
【０００８】
また、請求項３に係る発明は、文書を保存し管理する文書管理サーバ装置、前記文書を印刷する印刷装置、前記印刷装置によって印刷可能な形式である印刷可能形式のデータに前記文書を変換する文書変換サーバ装置、及び前記文書の印刷を要求する信号である印刷要求信号を送信する通信端末を含むネットワーク上の装置と通信する通信手段と、前記印刷要求信号に含まれる前記文書に関する情報に基づいて、前記文書管理サーバ装置から前記文書を取得する手段と、取得した印刷対象の前記文書である印刷文書が前記印刷可能形式ではないときに、前記文書変換サーバ装置を介して前記印刷文書を前記印刷可能形式に変換させる手段と、前記印刷可能形式で取得した前記印刷文書又は前記印刷可能形式に変換された前記印刷文書の印刷を前記印刷装置に要求又は予約する手段と、予約された前記印刷文書である予約印刷文書を登録し、登録した前記予約印刷文書を予約登録情報として管理する手段と、前記通信端末が送信した前記文書の印刷を開始する信号の受信に応じて、登録した前記予約印刷文書の印刷を前記印刷装置に要求する手段と、さらに、前記通信端末が送信した前記文書の印刷を中止する信号の受信に応じて、前記予約登録情報から前記予約印刷文書を削除し、前記予約印刷文書の印刷を中止することを前記印刷装置に要求する手段を備えた構成を有している。
【０００９】
この構成により、携帯通信端末の利用者が印刷中止の要求に応じて文書を印刷中止するために、利用者が誤った文書を印刷したときに、文書の印刷を取り消すことができる。
【００１０】
また、請求項４に係る発明は、文書を保存し管理する文書管理サーバ装置、前記文書を印刷する印刷装置、前記印刷装置によって印刷可能な形式である印刷可能形式のデータに前記文書を変換する文書変換サーバ装置、及び前記文書の印刷を要求する信号である印刷要求信号を送信する通信端末を含むネットワーク上の装置と通信する通信手段と、前記印刷要求信号に含まれる前記文書に関する情報に基づいて、前記文書管理サーバ装置から前記文書を取得する手段と、取得した印刷対象の前記文書である印刷文書が前記印刷可能形式ではないときに、前記文書変換サーバ装置を介して前記印刷文書を前記印刷可能形式に変換させる手段と、前記印刷可能形式で取得した前記印刷文書又は前記印刷可能形式に変換された前記印刷文書の印刷を前記印刷装置に要求又は予約する手段と、予約された前記印刷文書である予約印刷文書を登録し、登録した前記予約印刷文書を予約登録情報として管理する手段と、前記通信端末が送信した前記文書の印刷を開始する信号の受信に応じて、登録した前記予約印刷文書の印刷を前記印刷装置に要求する手段と、さらに、前記通信端末が送信した前記文書の印刷を他の文書の印刷に変更する信号の受信に応じて、前記予約登録情報を変更し前記予約印刷文書の印刷を、他の予約印刷文書の印刷に変更することを前記印刷装置に要求する手段を備えた構成を有している。
【００１１】
この構成により、携帯通信端末の利用者が印刷変更の要求に応じて文書を変更し印刷するために、利用者が誤った文書を印刷したときに、文書の印刷を変更することができる。
【００１２】
また、請求項５に係る発明は、文書を保存し管理する文書管理サーバ装置、前記文書を印刷する印刷装置、前記印刷装置によって印刷可能な形式である印刷可能形式のデータに前記文書を変換する文書変換サーバ装置、及び前記文書の印刷を要求する信号である印刷要求信号を送信する通信端末を含むネットワーク上の装置と通信する通信手段と、前記印刷要求信号に含まれる前記文書に関する情報に基づいて、前記文書管理サーバ装置から前記文書を取得する手段と、取得した印刷対象の前記文書である印刷文書が前記印刷可能形式ではないときに、前記文書変換サーバ装置を介して前記印刷文書を前記印刷可能形式に変換させる手段と、前記印刷可能形式で取得した前記印刷文書又は前記印刷可能形式に変換された前記印刷文書の印刷を前記印刷装置に要求又は予約する手段と、予約された前記印刷文書である予約印刷文書を登録し、登録した前記予約印刷文書を予約登録情報として管理する手段と、前記通信端末が送信した前記文書の印刷を開始する信号の受信に応じて、登録した前記予約印刷文書の印刷を前記印刷装置に要求する手段と、さらに、前記通信端末が送信した前記文書の印刷を表示する信号の受信に応じて、前記予約登録情報を前記通信端末に表示させる手段を備えた構成を有している。
【００１３】
この構成により、携帯通信端末の利用者が印刷状況の表示の要求に応じて予約登録情報を携帯通信端末に表示させるために、利用者は、予約している印刷文書の状況や印刷装置の混雑状況を参照できる。
【００１４】
また、請求項６に係る発明は、文書を保存し管理する文書管理サーバ装置、前記文書を印刷する印刷装置、前記印刷装置によって印刷可能な形式である印刷可能形式のデータに前記文書を変換する文書変換サーバ装置、及び前記文書の印刷を要求する信号である印刷要求信号を送信する通信端末を含むネットワーク上の装置を備え、前記通信端末によって送信された前記印刷要求信号を受信した請求項５記載の印刷サーバ装置は、前記印刷要求信号に含まれる文書に関する情報に基づいて前記文書を前記文書管理サーバ装置から取得し、取得した印刷対象の前記文書である印刷文書が前記印刷可能形式ではないときに、前記文書変換サーバ装置を介して前記印刷文書を前記印刷可能形式に変換させ、前記印刷可能形式で取得した前記印刷文書又は前記印刷可能形式に変換された前記印刷文書の印刷を前記印刷装置に要求又は予約し、予約された前記印刷文書である予約印刷文書を登録し、登録した前記予約印刷文書を予約登録情報として管理し、前記通信端末が送信した前記文書の印刷を開始する信号の受信に応じて、登録した前記予約印刷文書の印刷を前記印刷装置に要求するシステムを有している。
【００１５】
このシステムにより、文書管理サーバ装置から取得した文書が印刷可能形式ではないときに、文書変換サーバ装置を介して文書を印刷可能な形式に変換させるために、通信端末に印刷可能な形式に変換させることなく印刷装置に文書を印刷させることができ、変換処理の負荷を軽減させることができる。また、通信端末が印刷装置を指定するため、ネットワークに接続されている印刷装置であれば、どの印刷装置でも文書管理サーバ装置に格納されている文書を印刷できる。さらに、携帯通信端末の利用者が印刷開始の要求に応じて文書を印刷開始するために、利用者が印刷物を出力するタイミングを制御することができる。
【００１６】
【発明の実施の形態】
以下、図面を参照して本発明の実施の形態について詳細に説明する。
図１は、本発明の第１の実施の形態に係るネットワーク印刷システムのシステム構成を示す図である。図１において、ネットワーク印刷システムは、文書の印刷を要求する信号である印刷要求信号を送信する携帯通信端末１０、文書を保存し管理する文書管理サーバ装置２０、印刷装置４０によって印刷可能な形式である印刷可能形式のデータに文書を変換する文書変換サーバ装置３０、文書を印刷する印刷装置４０、印刷サーバ装置１００、及びネットワーク７０を含むように構成され、また遠隔用印刷サーバ装置５０とウェブサーバ装置６０とを含むように構成されている。
【００１７】
また、構内ネットワークをネットワーク７０とし、ネットワーク７０に含まれる構内のある事業所のネットワークに接続される装置として、文書管理サーバ装置２０、文書変換サーバ装置３０、ウェブサーバ装置６０、及び印刷サーバ装置１００を有し、ネットワーク７０に含まれる構内の他の事業所のネットワークに接続される装置として、遠隔用印刷サーバ装置５０及び印刷装置４０を有する構成としてもよい。勿論、これらの各装置は、それぞれ複数存在してもよく、携帯通信端末１０以外の装置は、各々１つのコンピュータであってもよい。
【００１８】
図２は、本発明の第１の実施の形態に係る印刷サーバ装置のブロック構成を示す図である。図２において、印刷サーバ装置１００は、通信手段１１０、印刷先格納手段１２０、及び印刷要求登録手段１３０によって構成される。また、印刷要求登録手段１３０は、文書取得手段１３１、文書変換手段１３２及び印刷文書出力手段１３３によって構成される。
【００１９】
なお、印刷サーバ装置１００が遠隔用印刷サーバ装置を介して印刷装置４０に文書を印刷させる技術や、携帯通信端末１０がウェブサーバ装置を介して種々のサーバ装置に通信可能とする技術も公知であるため、遠隔用印刷サーバ装置及びウェブサーバ装置についての構成は省略する。
【００２０】
通信手段１１０は、文書管理サーバ装置２０、印刷装置４０、文書変換サーバ装置３０、携帯通信端末１０、ウェブサーバ装置、及び遠隔用印刷サーバ装置を含むネットワーク７０上の装置と通信する手段である。
【００２１】
通信手段１１０は、ネットワーク上の利用可能な各印刷装置の一覧情報を取得するための信号である印刷先一覧情報取得信号であって、携帯通信端末１０によってネットワーク７０を介し送受信される印刷先一覧情報取得信号を印刷先格納手段１２０に入出力する。なお、印刷先一覧情報取得信号は、ウェブサーバ装置を介して送受信されるのであってもよい。
【００２２】
通信手段１１０は、携帯通信端末１０によってネットワーク７０を介し送信された印刷要求信号を受信し、受信された印刷要求信号を印刷要求登録手段１３０に出力する。なお、印刷要求信号は、ウェブサーバ装置を介して送信されるのであってもよい。
【００２３】
通信手段１１０は、文書を取得する信号である文書取得信号であって、印刷要求登録手段１３０によって入出力される文書取得信号をネットワーク７０を介し文書管理サーバ装置２０に送受信する。
【００２４】
通信手段１１０は、文書が印刷可能形式か否かを確認する信号である文書印刷確認信号であって、印刷要求登録手段１３０によって入出力される文書印刷確認信号をネットワーク７０を介し印刷装置４０に送受信する。
【００２５】
通信手段１１０は、印刷可能形式に文書を変換する信号である文書変換信号であって、印刷要求登録手段１３０によって入出力される文書変換信号をネットワーク７０を介し文書変換サーバ装置３０に送受信する。
【００２６】
通信手段１１０は、印刷要求登録手段１３０によって出力された印刷要求信号を入力とし、入力された印刷要求信号をネットワーク７０を介し印刷装置４０送信する。なお、印刷要求信号は、ネットワーク７０を介し遠隔用印刷サーバ装置に送信されるのであってもよい。
【００２７】
印刷先格納手段１２０は、ネットワーク上の利用可能な各印刷装置の一覧情報である印刷先一覧情報を予め格納しており、格納された印刷先一覧情報を出力する手段である。なお、説明の都合上、利用可能な印刷装置は印刷装置４０とする。また、印刷先一覧情報は、印刷サーバ装置１００が遠隔用印刷サーバ装置５０を介して印刷装置に文書を印刷させることも可能であるため、各遠隔用印刷サーバ装置の一覧情報でもよい。印刷先一覧情報には、印刷装置の場所、印刷装置を所有している組織名等を含めてもよい。
【００２８】
印刷先格納手段１２０は、通信手段１１０によって出力された印刷先一覧情報取得信号に応じ、格納された印刷先一覧情報を印刷先一覧情報取得信号に含め、印刷先一覧情報取得信号を通信手段１１０に出力する。
【００２９】
ここでは、印刷先一覧情報取得信号を受信した携帯通信端末１０は、印刷先一覧情報に基づいて印刷装置を指定し、指定した印刷装置の情報（以下、指定印刷装置情報という。）と、文書に関する情報（以下、印刷文書情報という。）とを含む印刷要求信号を送信することとする。
【００３０】
文書取得手段１３１は、印刷要求信号に含まれる印刷文書情報に基づいて、文書管理サーバ装置２０から文書を取得する手段である。
【００３１】
文書取得手段１３１は、通信手段１１０によって出力された印刷要求信号を入力とし、印刷文書情報に基づいて、文書取得信号を生成し、生成した文書取得信号を通信手段１１０に出力する。なお、印刷文書情報には、文書名が含まれ、文書取得手段１３１は、文書名から文書を取得するようにしてもよい。
【００３２】
また、文書取得手段１３１は、通信手段１１０によって出力された文書取得信号を入力とし、入力された文書取得信号に含まれる印刷対象の文書である印刷文書と、印刷要求信号に含まれる指定印刷装置情報とを文書変換手段１３２に出力する。
【００３３】
文書変換手段１３２は、印刷文書が印刷可能形式ではないときに、文書変換サーバ装置３０を介して印刷文書を印刷可能形式に変換させる手段である。
【００３４】
文書変換手段１３２は、文書取得手段１３１によって出力された印刷文書と、指定印刷装置情報とを入力とし、入力された印刷文書に基づいて文書印刷確認信号を生成し、生成した文書印刷確認信号を通信手段１１０に出力する。ここで、文書印刷確認信号は、指定印刷装置情報に示される指定印刷装置に送信される。上記で説明したように、利用可能な印刷装置は印刷装置４０であるため、文書印刷確認信号は、印刷装置４０に送信される。
【００３５】
また、文書変換手段１３２は、通信手段１１０によって出力された文書印刷確認信号を入力とし、入力された文書印刷確認信号に含まれる情報が印刷文書が印刷可能形式ではないことを示している場合、印刷文書に基づいて文書変換信号を生成し、生成した文書変換信号を通信手段１１０に出力する。文書変換手段１３２は、入力された文書印刷確認信号に含まれる情報が印刷文書が印刷可能形式であることを示している場合、印刷文書と指定印刷装置情報とを印刷文書出力手段１３３に出力する。
【００３６】
また、文書変換手段１３２は、通信手段１１０によって出力された文書変換信号を入力とし、入力された文書変換信号に含まれる印刷可能形式に変換された印刷文書と指定印刷装置情報とを印刷文書出力手段１３３に出力する。
【００３７】
なお、文書変換手段１３２は、文書印刷確認信号を用いずに、各印刷装置が印刷可能となる印刷文書名に含まれるプリフィクス、サフィックス等の修飾子に関する情報を予め格納し、この情報を用いて印刷文書が印刷可能形式か否かを判断してもよい。
【００３８】
印刷文書出力手段１３３は、印刷可能形式で取得した印刷文書又は印刷可能形式に変換された印刷文書の印刷を印刷装置に要求又は予約する手段である。
【００３９】
印刷文書出力手段１３３は、文書変換手段１３２によって出力された指定印刷装置情報と、印刷可能形式な印刷文書、又は印刷可能形式に変換された印刷文書とを入力とする。
【００４０】
印刷文書出力手段１３３は、入力された上記何れかの印刷文書に上記印刷要求信号に含め、指定印刷装置情報に示される指定印刷装置に送信されるよう印刷要求信号を通信手段１１０に出力する。印刷文書出力手段１３３は、予約するために入力された印刷文書を蓄積してもよい。
【００４１】
図３は、本発明の第１の実施の形態のネットワーク印刷システムに係わる信号の流れを示すシーケンス図である。なお、本シーケンスでは、携帯通信端末１０と印刷サーバ装置１００との間にウェブサーバ装置６０を介して通信するときの一例を示したものである。
【００４２】
携帯通信端末１０は、ネットワーク上の利用可能な文書を検索するために、文書の一覧情報の取得を要求する信号である文書一覧要求信号Ｓ１０１をウェブサーバ装置６０に送信する。
【００４３】
ウェブサーバ装置６０は、文書一覧要求信号Ｓ１０１を受信し、文書管理サーバ装置２０に文書の一覧情報を取得する信号である文書一覧情報取得信号Ｓ１０２を文書管理サーバ装置２０に送信する。
【００４４】
文書管理サーバ装置２０は、文書一覧情報取得信号Ｓ１０２を受信し、文書の一覧を示す情報である文書一覧情報をデータベース等から取得し、取得した文書一覧情報を文書一覧情報取得信号Ｓ１０２に含め、文書一覧情報取得信号Ｓ１０２をウェブサーバ装置６０に送信する。
【００４５】
ウェブサーバ装置６０は、文書一覧情報取得信号Ｓ１０２を受信し、文書一覧情報を携帯通信端末１０に表示させるために、文書一覧情報を表示させる信号である文書一覧情報表示信号Ｓ１０３を携帯通信端末１０に送信する。
【００４６】
携帯通信端末１０は、文書を印刷するためのネットワーク上の利用可能な各印刷装置を検索するために、印刷先の一覧情報の取得を要求する信号である印刷先一覧要求信号Ｓ１０４を印刷サーバ装置１００に送信する。
【００４７】
ウェブサーバ装置６０は、印刷先一覧要求信号Ｓ１０４を受信し、印刷先一覧情報取得信号Ｓ１０５を印刷サーバ装置１００に送信する。
【００４８】
印刷サーバ装置１００は、印刷先一覧情報取得信号Ｓ１０５を受信し、格納されている印刷先一覧情報を印刷先一覧情報取得信号Ｓ１０５に含め、印刷先一覧情報取得信号Ｓ１０５をウェブサーバ装置６０に送信する。
【００４９】
ウェブサーバ装置６０は、印刷先一覧情報取得信号Ｓ１０５を受信し、印刷先一覧情報を携帯通信端末１０に表示させるために、印刷先一覧情報を表示させる信号である印刷先一覧情報表示信号Ｓ１０６を携帯通信端末１０に送信する。
【００５０】
携帯通信端末１０は、印刷先一覧情報表示信号Ｓ１０６を受信し、印刷先一覧情報に基づいて指定印刷装置情報を生成し、生成された指定印刷装置情報と、文書一覧情報から選択した文書に関する情報とを印刷要求信号Ｓ１０７に含め、印刷要求信号Ｓ１０７をウェブサーバ装置６０に送信する。
【００５１】
ウェブサーバ装置６０は、印刷要求信号Ｓ１０７を受信し、受信した印刷要求信号Ｓ１０７に含まれる情報を編集などを行い印刷要求信号Ｓ１０８を印刷サーバ装置１００に送信する。
【００５２】
印刷サーバ装置１００は、印刷要求信号Ｓ１０８を受信し、受信した印刷要求信号Ｓ１０８に含まれる印刷文書情報に基づいて、文書取得信号を生成し、生成した文書取得信号Ｓ１０９を文書管理サーバ装置２０に送信する。
【００５３】
文書管理サーバ装置２０は、文書取得信号Ｓ１０９を受信し、受信した文書取得信号Ｓ１０９に印刷文書を含め、文書取得信号Ｓ１０９を印刷サーバ装置１００に送信する。
【００５４】
印刷サーバ装置１００は、文書取得信号Ｓ１０９を受信し、受信した文書取得信号Ｓ１０９に含まれる印刷文書に基づいて、文書印刷確認信号Ｓ１１０を生成し、生成した文書印刷確認信号Ｓ１１０を印刷装置４０に送信する。
【００５５】
印刷装置４０は、文書印刷確認信号Ｓ１１０を受信し、受信した文書印刷確認信号Ｓ１１０に印刷文書が印刷可能形式か否かを示す情報を含め、文書印刷確認信号Ｓ１１０を印刷サーバ装置１００に送信する。
【００５６】
印刷サーバ装置１００は、文書印刷確認信号Ｓ１１０を受信し、受信した文書印刷確認信号Ｓ１１０に含まれる印刷文書が印刷可能形式ではないときに、印刷文書に基づいて文書変換信号Ｓ１１１を生成し、生成した文書変換信号Ｓ１１１を文書変換サーバ３０に送信する。
【００５７】
文書変換サーバ３０は、文書変換信号Ｓ１１１を受信し、受信した文書変換信号Ｓ１１１に含まれる印刷文書を印刷可能形式に変換し、変換された印刷文書を文書変換信号Ｓ１１１に含め、文書変換信号Ｓ１１１を印刷サーバ装置１００に送信する。
【００５８】
印刷サーバ装置１００は、文書変換信号Ｓ１１１を受信し、受信した文書変換信号Ｓ１１１に含まれる印刷可能形式に変換された印刷文書を印刷要求信号Ｓ１１２に含め、印刷要求信号Ｓ１１２を印刷装置４０に送信する。
【００５９】
以上説明したように、本発明の第１の実施の形態に係る印刷サーバ装置およびネットワーク印刷システムは、文書管理サーバ装置から取得した文書が印刷可能形式ではないときに、文書変換サーバ装置を介して文書を印刷可能な形式に変換させるために、通信端末に印刷可能な形式に変換させることなく印刷装置に文書を印刷させることができ、変換処理の負荷を軽減させることができる。
また、通信端末が印刷装置を指定するため、ネットワークに接続されている印刷装置であれば、どの印刷装置でも文書管理サーバ装置に格納されている文書を印刷できる。
【００６０】
図４は、本発明の第２の実施の形態に係る印刷サーバ装置のブロック構成を示す図である。図４において、印刷サーバ装置２００は、通信手段２１０、印刷先格納手段１２０、印刷要求登録手段２３０、及び印刷開始要求手段２４０によって構成される。また、印刷要求登録手段２３０は、文書取得手段１３１、文書変換手段１３２及び予約登録情報管理手段２３３によって構成される。
【００６１】
なお、本発明の第２の実施の形態に係る印刷サーバ装置２００を構成する手段のうち、本発明の第１の実施の形態に係る印刷サーバ装置２００を構成する手段と同様の処理を行うものには同一の符号を付し、それぞれの説明を省略する。
【００６２】
なお、印刷サーバ装置２００が遠隔用印刷サーバ装置を介して印刷装置４０に文書を印刷させる技術や、携帯通信端末１０がウェブサーバ装置を介して種々のサーバ装置に通信可能とする技術も公知であるため、遠隔用印刷サーバ装置及びウェブサーバ装置についての構成は省略する。
【００６３】
通信手段２１０は、文書管理サーバ装置２０、印刷装置４０、文書変換サーバ装置３０、携帯通信端末１０、ウェブサーバ装置、及び遠隔用印刷サーバ装置を含むネットワーク７０上の装置と通信する手段である。
【００６４】
通信手段２１０は、ネットワーク上の利用可能な各印刷装置の一覧情報を取得するための信号である印刷先一覧情報取得信号であって、携帯通信端末１０によってネットワーク７０を介し送受信される印刷先一覧情報取得信号を印刷先格納手段１２０に入出力する。なお、印刷先一覧情報取得信号は、ウェブサーバ装置を介して送受信されるのであってもよい。
【００６５】
通信手段２１０は、携帯通信端末１０によってネットワーク７０を介し送信された印刷要求信号を受信し、受信された印刷要求信号を印刷要求登録手段２３０に出力する。なお、印刷要求信号は、ウェブサーバ装置を介して送信されるのであってもよい。
【００６６】
通信手段２１０は、文書を取得する信号である文書取得信号であって、印刷要求登録手段２３０によって入出力される文書取得信号をネットワーク７０を介し文書管理サーバ装置２０に送受信する。
【００６７】
通信手段２１０は、文書が印刷可能形式か否かを確認する信号である文書印刷確認信号であって、印刷要求登録手段２３０によって入出力される文書印刷確認信号をネットワーク７０を介し印刷装置４０に送受信する。
【００６８】
通信手段２１０は、印刷可能形式に文書を変換する信号である文書変換信号であって、印刷要求登録手段２３０によって入出力される文書変換信号をネットワーク７０を介し文書変換サーバ装置３０に送受信する。
【００６９】
通信手段２１０は、文書の印刷を予約する信号である印刷予約信号であって、印刷要求登録手段２３０によって出力された印刷予約信号を入力とし、入力された印刷予約信号をネットワーク７０を介し印刷装置４０に送信する。なお、印刷予約信号は、ネットワーク７０を介し遠隔用印刷サーバ装置に送信されるのであってもよい。
【００７０】
通信手段２１０は、文書の印刷を開始する信号である印刷開始信号であって、携帯通信端末１０によってネットワーク７０を介し送信される印刷開始信号を受信し、受信された印刷開始信号を印刷開始要求手段２４０に出力する。なお、印刷開始信号は、ウェブサーバ装置を介して送信されるのであってもよい。
【００７１】
通信手段２１０は、印刷開始要求手段２４０によって出力された、印刷開始信号を入力とし、入力された印刷開始信号をネットワーク７０を介し印刷装置４０送信する。なお、印刷開始信号は、ネットワーク７０を介し遠隔用印刷サーバ装置に送信されるのであってもよい。
【００７２】
予約登録情報管理手段２３３は、予約された印刷文書である予約印刷文書を登録し、登録した予約印刷文書を予約登録情報として管理する手段である。
【００７３】
予約登録情報管理手段２３３は、文書変換手段１３２によって出力された指定印刷装置情報と、印刷可能形式な印刷文書、又は印刷可能形式に変換された印刷文書とを入力とする。
【００７４】
予約登録情報管理手段２３３は、入力された上記何れかの印刷文書と印刷要求信号とに基づいて、印刷予約信号を生成し、生成した印刷予約信号を指定印刷装置情報に示される指定印刷装置に送信されるよう印刷予約信号を通信手段２１０に出力する。
【００７５】
また、予約登録情報管理手段２３３は、入力された指定印刷装置情報と、予約された印刷文書である予約印刷文書とを登録して蓄積し、蓄積された予約印刷文書を予約登録情報として管理する。
【００７６】
印刷開始要求手段２４０は、携帯通信端末１０が送信した印刷開始信号の受信に応じて、登録した予約印刷文書の印刷を印刷装置に要求する手段である。
【００７７】
印刷開始要求手段２４０は、通信手段２１０によって出力された印刷開始信号を入力とし、入力された印刷開始信号に含まれる文書に関する情報に基づいて、指定印刷文書を予約登録情報管理手段２３３から取得して確認し、印刷開始信号を通信手段２１０に出力する。
【００７８】
図５は、本発明の第２の実施の形態のネットワーク印刷システムに係わる信号の流れを示すシーケンス図である。
また、本発明の第２の実施の形態のネットワーク印刷システムに係わる信号の流れを示すシーケンスのうち、本発明の第１の実施の形態のネットワーク印刷システムに係わる信号の流れを示すシーケンスと同様のものには同一の符号を付し、それぞれの説明を省略する。
【００７９】
印刷サーバ装置２００は、文書変換信号Ｓ１１１を受信し、受信した文書変換信号Ｓ１１１に含まれる印刷可能形式に変換された印刷文書を文書の印刷を予約する信号である印刷予約信号Ｓ２０１に含め、印刷予約信号Ｓ２０１を印刷装置４０に送信する。
【００８０】
携帯通信端末１０は、文書を印刷するために、印刷開始信号Ｓ２０２をウェブサーバ装置６０に送信する。
【００８１】
ウェブサーバ装置６０は、印刷開始信号Ｓ２０２を受信し、受信した印刷開始信号Ｓ２０２に含まれる情報を編集などを行い印刷開始信号Ｓ２０３を印刷サーバ装置２００に送信する。
【００８２】
印刷サーバ装置２００は、印刷開始信号Ｓ２０３を受信し、受信した印刷開始信号Ｓ２０３含まれる文書に関する情報に基づいて、指定印刷文書を確認し、印刷開始信号Ｓ２０４を印刷装置４０に送信する。
【００８３】
以上説明したように、本発明の第２の実施の形態に係る印刷サーバ装置およびネットワーク印刷システムは、携帯通信端末の利用者が印刷開始の要求に応じて文書を印刷開始するために、利用者が印刷物を出力するタイミングを制御することができる。
また、従来の印刷装置、若しくは印刷サーバ装置は、複数の利用者が同時に文書を印刷することによって、１台の印刷装置の受け皿に印刷物が相互に混じりあい、印刷物が他者によって取り出され、紛失しまうことがある。本発明の第２の実施の形態に係る印刷サーバ装置およびネットワーク印刷システムは、利用者が印刷物を出力するタイミングを制御できるため、利用者が印刷装置の前で印刷物を出力するタイミングを制御することによって、確実に自分の印刷物を受け取ることができる。
【００８４】
図６は、本発明の第３の実施の形態に係る印刷サーバ装置のブロック構成を示す図である。図６において、印刷サーバ装置３００は、通信手段３１０、印刷先格納手段１２０、印刷要求登録手段２３０、及び印刷中止要求手段３５０によって構成される。また、印刷要求登録手段２３０は、文書取得手段１３１、文書変換手段１３２及び予約登録情報管理手段２３３によって構成される。
【００８５】
なお、本発明の第３の実施の形態に係る印刷サーバ装置３００を構成する手段のうち、本発明の第２の実施の形態に係る印刷サーバ装置２００を構成する手段と同様の処理を行うものには同一の符号を付し、それぞれの説明を省略する。
【００８６】
なお、印刷サーバ装置３００が遠隔用印刷サーバ装置を介して印刷装置４０に文書を印刷させる技術や、携帯通信端末１０がウェブサーバ装置を介して種々のサーバ装置に通信可能とする技術も公知であるため、遠隔用印刷サーバ装置及びウェブサーバ装置についての構成は省略する。
【００８７】
通信手段３１０は、文書管理サーバ装置２０、印刷装置４０、文書変換サーバ装置３０、携帯通信端末１０、ウェブサーバ装置、及び遠隔用印刷サーバ装置を含むネットワーク７０上の装置と通信する手段である。
【００８８】
通信手段３１０は、ネットワーク上の利用可能な各印刷装置の一覧情報を取得するための信号である印刷先一覧情報取得信号であって、携帯通信端末１０によってネットワーク７０を介し送受信される印刷先一覧情報取得信号を印刷先格納手段１２０に入出力する。なお、印刷先一覧情報取得信号は、ウェブサーバ装置を介して送受信されるのであってもよい。
【００８９】
通信手段３１０は、携帯通信端末１０によってネットワーク７０を介し送信された印刷要求信号を受信し、受信された印刷要求信号を印刷要求登録手段２３０に出力する。なお、印刷要求信号は、ウェブサーバ装置を介して送信されるのであってもよい。
【００９０】
通信手段３１０は、文書を取得する信号である文書取得信号であって、印刷要求登録手段２３０によって入出力される文書取得信号をネットワーク７０を介し文書管理サーバ装置２０に送受信する。
【００９１】
通信手段３１０は、文書が印刷可能形式か否かを確認する信号である文書印刷確認信号であって、印刷要求登録手段２３０によって入出力される文書印刷確認信号をネットワーク７０を介し印刷装置４０に送受信する。
【００９２】
通信手段３１０は、印刷可能形式に文書を変換する信号である文書変換信号であって、印刷要求登録手段２３０によって入出力される文書変換信号をネットワーク７０を介し文書変換サーバ装置３０に送受信する。
【００９３】
通信手段３１０は、文書の印刷を予約する信号である印刷予約信号であって、印刷要求登録手段２３０によって出力された印刷予約信号を入力とし、入力された印刷予約信号をネットワーク７０を介し印刷装置４０に送信する。なお、印刷予約信号は、ネットワーク７０を介し遠隔用印刷サーバ装置に送信されるのであってもよい。
【００９４】
通信手段３１０は、文書の印刷を中止する信号である印刷中止信号であって、携帯通信端末１０によってネットワーク７０を介し送信される印刷中止信号を受信し、受信された印刷中止信号を印刷中止要求手段３５０に出力する。なお、印刷中止信号は、ウェブサーバ装置を介して送信されるのであってもよい。
【００９５】
通信手段３１０は、印刷中止要求手段３５０によって出力された、印刷中止信号を入力とし、入力された印刷中止信号をネットワーク７０を介し印刷装置４０送信する。なお、印刷中止信号は、ネットワーク７０を介し遠隔用印刷サーバ装置に送信されるのであってもよい。
【００９６】
印刷中止要求手段３５０は、携帯通信端末１０が送信した印刷中止信号の受信に応じて、登録した予約登録情報から予約印刷文書を削除し、予約印刷文書の印刷を中止することを印刷装置に要求する手段である。
【００９７】
印刷中止要求手段３５０は、通信手段３１０によって出力された印刷中止信号を入力とし、入力された印刷開始信号に含まれる文書に関する情報に基づいて、指定印刷文書を予約登録情報管理手段２３３から取得して確認し、印刷中止信号を通信手段３１０に出力する。
【００９８】
なお、印刷中止要求手段３５０は、印刷中止信号を通信手段３１０に出力した後に、予約登録情報管理手段２３３で管理している予約登録情報から指定印刷文書を削除してもよい。
【００９９】
以上説明したように、本発明の第３の実施の形態に係る印刷サーバ装置は、携帯通信端末の利用者が印刷中止の要求に応じて文書を印刷中止するために、利用者が誤った文書を印刷したときに、文書の印刷を取り消すことができる。
【０１００】
図７は、本発明の第４の実施の形態に係る印刷サーバ装置のブロック構成を示す図である。図７において、印刷サーバ装置４００は、通信手段４１０、印刷先格納手段１２０、印刷要求登録手段２３０、及び印刷変更要求手段４６０によって構成される。また、印刷要求登録手段２３０は、文書取得手段１３１、文書変換手段１３２及び予約登録情報管理手段２３３によって構成される。
【０１０１】
なお、本発明の第４の実施の形態に係る印刷サーバ装置４００を構成する手段のうち、本発明の第３の実施の形態に係る印刷サーバ装置３００を構成する手段と同様の処理を行うものには同一の符号を付し、それぞれの説明を省略する。
【０１０２】
なお、印刷サーバ装置４００遠隔用印刷サーバ装置を介して印刷装置４０に文書を印刷させる技術や、携帯通信端末１０がウェブサーバ装置を介して種々のサーバ装置に通信可能とする技術も公知であるため、遠隔用印刷サーバ装置及びウェブサーバ装置についての構成は省略する。
【０１０３】
通信手段４１０は、文書管理サーバ装置２０、印刷装置４０、文書変換サーバ装置３０、携帯通信端末１０、ウェブサーバ装置、及び遠隔用印刷サーバ装置を含むネットワーク７０上の装置と通信する手段である。
【０１０４】
通信手段４１０は、ネットワーク上の利用可能な各印刷装置の一覧情報を取得するための信号である印刷先一覧情報取得信号であって、携帯通信端末１０によってネットワーク７０を介し送受信される印刷先一覧情報取得信号を印刷先格納手段１２０に入出力する。なお、印刷先一覧情報取得信号は、ウェブサーバ装置を介して送受信されるのであってもよい。
【０１０５】
通信手段４１０は、携帯通信端末１０によってネットワーク７０を介し送信された印刷要求信号を受信し、受信された印刷要求信号を印刷要求登録手段２３０に出力する。なお、印刷要求信号は、ウェブサーバ装置を介して送信されるのであってもよい。
【０１０６】
通信手段４１０は、文書を取得する信号である文書取得信号であって、印刷要求登録手段２３０によって入出力される文書取得信号をネットワーク７０を介し文書管理サーバ装置２０に送受信する。
【０１０７】
通信手段４１０は、文書が印刷可能形式か否かを確認する信号である文書印刷確認信号であって、印刷要求登録手段２３０によって入出力される文書印刷確認信号をネットワーク７０を介し印刷装置４０に送受信する。
【０１０８】
通信手段４１０は、印刷可能形式に文書を変換する信号である文書変換信号であって、印刷要求登録手段２３０によって入出力される文書変換信号をネットワーク７０を介し文書変換サーバ装置３０に送受信する。
【０１０９】
通信手段４１０は、文書の印刷を予約する信号である印刷予約信号であって、印刷要求登録手段２３０によって出力された印刷予約信号を入力とし、入力された印刷予約信号をネットワーク７０を介し印刷装置４０に送信する。なお、印刷予約信号は、ネットワーク７０を介し遠隔用印刷サーバ装置に送信されるのであってもよい。
【０１１０】
通信手段４１０は、印刷予約信号に含まれていた文書の印刷を他の文書の印刷に変更する信号である印刷変更信号であって、携帯通信端末１０によってネットワーク７０を介し送信される印刷変更信号を受信し、受信された印刷変更信号を印刷変更要求手段４６０に出力する。なお、印刷変更信号は、ウェブサーバ装置を介して送信されるのであってもよい。
【０１１１】
通信手段４１０は、印刷変更要求手段４６０によって出力された、印刷変更信号を入力とし、入力された印刷中止信号をネットワーク７０を介し印刷装置４０送信する。なお、印刷中止信号は、ネットワーク７０を介し遠隔用印刷サーバ装置に送信されるのであってもよい。
【０１１２】
印刷変更要求手段４６０は、携帯通信端末１０が送信した印刷変更信号の受信に応じて、予約登録情報を変更し予約印刷文書の印刷を、他の予約印刷文書の印刷に変更することを印刷装置に要求する手段である。
【０１１３】
印刷変更要求手段４６０は、通信手段４１０によって出力された印刷変更信号を入力とし、入力された印刷変更信号に含まれる文書に関する情報に基づいて、予約登録情報管理手段２３３で管理している予約登録情報を取得し、取得された予約登録情報を変更し、印刷変更信号を通信手段４１０に出力する。
【０１１４】
例えば、予約登録情報を変更する方法としては、印刷変更要求手段４６０が、指定印刷文書を予約登録情報管理手段２３３から取得して、取得された予約印刷文書から指定印刷文書を削除し、他の文書を印刷要求信号に含め、印刷要求信号を印刷要求登録手段１３０に出力してもよい。
【０１１５】
以上説明したように、本発明の第４の実施の形態に係る印刷サーバ装置は、携帯通信端末の利用者が印刷変更の要求に応じて文書を変更し印刷するために、利用者が誤った文書を印刷したときに、文書の印刷を変更することができる。
【０１１６】
図８は、本発明の第５の実施の形態に係る印刷サーバ装置のブロック構成を示す図である。図８において、印刷サーバ装置５００は、通信手段５１０、印刷先格納手段１２０、印刷要求登録手段２３０、及び予約情報表示手段５７０によって構成される。また、印刷要求登録手段２３０は、文書取得手段１３１、文書変換手段１３２及び予約登録情報管理手段２３３によって構成される。
【０１１７】
なお、本発明の第５の実施の形態に係る印刷サーバ装置５００を構成する手段のうち、本発明の第４の実施の形態に係る印刷サーバ装置４００を構成する手段と同様の処理を行うものには同一の符号を付し、それぞれの説明を省略する。
【０１１８】
なお、印刷サーバ装置５００が遠隔用印刷サーバ装置を介して印刷装置４０に文書を印刷させる技術や、携帯通信端末１０がウェブサーバ装置を介して種々のサーバ装置に通信可能とする技術も公知であるため、遠隔用印刷サーバ装置及びウェブサーバ装置についての構成は省略する。
【０１１９】
通信手段５１０は、文書管理サーバ装置２０、印刷装置４０、文書変換サーバ装置３０、携帯通信端末１０、ウェブサーバ装置、及び遠隔用印刷サーバ装置を含むネットワーク７０上の装置と通信する手段である。
【０１２０】
通信手段５１０は、ネットワーク上の利用可能な各印刷装置の一覧情報を取得するための信号である印刷先一覧情報取得信号であって、携帯通信端末１０によってネットワーク７０を介し送受信される印刷先一覧情報取得信号を印刷先格納手段１２０に入出力する。なお、印刷先一覧情報取得信号は、ウェブサーバ装置を介して送受信されるのであってもよい。
【０１２１】
通信手段５１０は、携帯通信端末１０によってネットワーク７０を介し送信された印刷要求信号を受信し、受信された印刷要求信号を印刷要求登録手段２３０に出力する。なお、印刷要求信号は、ウェブサーバ装置を介して送信されるのであってもよい。
【０１２２】
通信手段５１０は、文書を取得する信号である文書取得信号であって、印刷要求登録手段２３０によって入出力される文書取得信号をネットワーク７０を介し文書管理サーバ装置２０に送受信する。
【０１２３】
通信手段５１０は、文書が印刷可能形式か否かを確認する信号である文書印刷確認信号であって、印刷要求登録手段２３０によって入出力される文書印刷確認信号をネットワーク７０を介し印刷装置４０に送受信する。
【０１２４】
通信手段５１０は、印刷可能形式に文書を変換する信号である文書変換信号であって、印刷要求登録手段２３０によって入出力される文書変換信号をネットワーク７０を介し文書変換サーバ装置３０に送受信する。
【０１２５】
通信手段５１０は、文書の印刷を予約する信号である印刷予約信号であって、印刷要求登録手段２３０によって出力された印刷予約信号を入力とし、入力された印刷予約信号をネットワーク７０を介し印刷装置４０に送信する。なお、印刷予約信号は、ネットワーク７０を介し遠隔用印刷サーバ装置に送信されるのであってもよい。
【０１２６】
通信手段５１０は、文書の印刷を表示する信号である印刷表示信号であって、携帯通信端末１０によってネットワーク７０を介し送受信される印刷表示信号を受信し、受信された印刷表示信号を予約情報表示手段５７０に入出力する。なお、印刷表示信号は、ウェブサーバ装置を介して送受信されるのであってもよい。
【０１２７】
予約情報表示手段５７０は、携帯通信端末１０が送信した文書の印刷を表示する信号の受信に応じて、前記予約登録情報を前記通信端末に表示させる手段である。
【０１２８】
予約情報表示手段５７０は、通信手段５１０によって出力された印刷表示信号を入力とし、予約登録情報管理手段２３３で管理している予約登録情報を取得し、取得された予約登録情報を印刷表示信号に含め、印刷表示信号を通信手段５１０に出力する。
【０１２９】
以上説明したように、本発明の第５の実施の形態に係る印刷サーバ装置は、携帯通信端末の利用者が印刷状況の表示の要求に応じて予約登録情報を携帯通信端末に表示させるために、利用者は、予約している印刷文書の状況や印刷装置の混雑状況を参照できる。
【０１３０】
【発明の効果】
以上説明したように、本発明は、通信端末が種々のアプリケーションソフトウエアで作成された文書を印刷可能な形式に変換することなく、指定された印刷装置に文書を印刷し、変換処理の負荷を軽減させる印刷サーバ装置又はネットワーク印刷システムを提供することができるものである。
【図面の簡単な説明】
【図１】本発明の第１の実施の形態に係るネットワーク印刷システムの装置構成を示す図である。
【図２】本発明の第１の実施の形態に係る印刷サーバ装置のブロック構成を示す図である。
【図３】本発明の第１の実施の形態のネットワーク印刷システムに係わる信号の流れを示すシーケンス図である。
【図４】本発明の第２の実施の形態に係る印刷サーバ装置のブロック構成を示す図である。
【図５】本発明の第２の実施の形態のネットワーク印刷システムに係わる信号の流れを示すシーケンス図である。
【図６】本発明の第３の実施の形態に係る印刷サーバ装置のブロック構成を示す図である。
【図７】本発明の第４の実施の形態に係る印刷サーバ装置のブロック構成を示す図である。
【図８】本発明の第５の実施の形態に係る印刷サーバ装置のブロック構成を示す図である。
【符号の説明】
１０　携帯通信端末
２０　文書管理サーバ装置
３０　文書変換サーバ装置
４０　印刷装置
５０　遠隔用印刷サーバ装置
６０　ウェブサーバ装置
７０　ネットワーク
１００、２００、３００、４００、５００　印刷サーバ装置
１１０、２１０、３１０、４１０、５１０　通信手段
１２０　印刷先格納手段
１３０、２３０　印刷要求登録手段
１３１　文書取得手段
１３２　文書変換手段
１３３　印刷文書出力手段
２３３　予約登録情報管理手段
２４０　印刷開始要求手段
３５０　印刷中止要求手段
４６０　印刷変更要求手段
５７０　予約情報表示手段
【図１】
2004030153.tif 000003
【図２】
2004030153.tif 000004
【図３】
2004030153.tif 000005
【図４】
2004030153.tif 000006
【図５】
2004030153.tif 000007
【図６】
2004030153.tif 000008
【図７】
2004030153.tif 000009
【図８】
2004030153.tif 000010